(57)【特許請求の範囲】
【請求項１】
人の背中、または腰部に下端が位置し、上端が前記人のうなじに位置できる長さを有し、通気性を有し柔軟性を有する１本の管と、この管の上端を外周から接して保持する筒状のクランプと、この保持される管の上端の内周に接して挿入され前記上端の強度を維持する筒状のホルダと、前記クランプをシャツの衿の内側に取付ける取付手段と、を有し、前記クランプは、前記管の背面側を保持する外クランプと、正面側を保持する内クランプと、これら外クランプと内クランプを合わせたクランプ状態を維持するための維持手段と、を有して構成され、前記管は前記ホルダと前記クランプに挟まれて保持されることを特徴とする背中クールタイ装置。
【請求項２】
前記筒状のクランプは、内部下方で前記管に接しており、内部上方に略同軸に配置された内筒と、この内筒の軸方向の上下位置を調整できる調整機構と、を有する請求項１に記載の背中クールタイ装置。
【請求項３】
前記通気性を有し柔軟性を有する管は、螺旋状に配置される複数のプラスチック製の紐によって構成される網管であり、
前記取付手段は、前記外クランプに形成されて前記衿の上縁に係止するフックであり、または、シャツの衿の内側に沿って配置される襟台の上縁に係止するフックであり、
前記維持手段は、前記外クランプと内クランプを合わせた状態でネジ止めするネジであることを特徴とする請求項１、または２に記載の背中クールタイ装置。
【発明の詳細な説明】
【技術分野】
【０００１】
この発明は、衣服の下に管を配置し、夏場の体温による熱気を、管を通して衣服外部に逃がして涼を図る装置に関する。
【背景技術】
【０００２】
ＣＯ2削減、省エネ、節電などを強いられる今日、夏場の熱さ対策は重要である。特に、ワイシャツ等を着て仕事をしなければならず、会社や街頭の炎天下で過ごす場合には、重要さは高い。
【０００３】
下記特許文献１、２では、衣服の下に管を配置し、体温による熱気を、管を通して流通させ涼を図る工夫が提案されている。特に、下記特許文献１では、熱気が首もとから外部に逃げることが期待されている。
さらに、本願の出願人は、既に、関連する特許出願（下記特許文献３）を行っている。この既特許出願に係る発明は、人の背中、または腰部に下端が位置し、上端が前記人のうなじに位置できる長さを有し、通気性を有し柔軟性を有する複数の管を、これら複数の管の上端を保持するクランプによって、シャツの衿の内側に取付けるものである。
【先行技術文献】
【特許文献】
【０００４】
【特許文献１】実開平０７−００６２２０
【特許文献２】特開２００６−２８７１８
【特許文献３】特願２０１４−１８８１１３
【発明の概要】
【発明が解決しようとする課題】
【０００５】
しかしながら、上記特許文献１、２では、衣服の下に管を配置し、衣服と身体の密着は避けられるものの、体温による熱気を、効果的に衣服外部に逃がすことは難しい。上記特許文献１でも、熱気は、管の中を上昇し、管の側壁に形成された孔から管の外に出て、上方へ移動しようとはするものの、衣服に阻まれて、首もとから外部に効果的に逃げることは難しい。
【０００６】
さらに、出願人による関連する上記特許出願（上記特許文献３）に係る発明は、複数の管を用いるため、熱気を、より効果的に衣服外部に逃がすことは難しいことが判明した。そこで１本の管を用いようとすると、今度は、管の径が必然的に大きくなり、大きくなった管の腰が弱くなる。すなわち、強度が弱くなるので、つぶれてしまい、熱気の流れが悪くなるとともに、クランプによる保持が難しくなってしまう。
【０００７】
また、管の上端が襟元からうなじに突出して位置できる突出量は、不十分であれば熱気を逃がす効果を抑止し、大きすぎれば見た目が悪くなるので、その時々の状況に合わせて、最適の長さを調整したい。
【０００８】
この発明は、以上の問題点を解決するために、（１）体温による熱気を、効果的に衣服外部に逃がし、さらに汗が気化熱で体温を下げることができ、（２）複数の管を用いるよりも、熱気を、より効果的に衣服外部に逃がすことができ、管の径が大きくなっても、クランプによる保持が可能であり、（３）管の上端が襟元からうなじに突出して位置できる突出量を調整できる背中クールタイ装置を提供することを目的とする。
【課題を解決するための手段】
【０００９】
以上の課題を解決するために、第一発明は、人の背中、または腰部に下端が位置し、上端が前記人のうなじに位置できる長さを有し、通気性を有し柔軟性を有する１本の管と、この管の上端を外周から接して保持する筒状のクランプと、この保持される管の上端の内周に接して挿入され前記上端の強度を維持する筒状のホルダと、前記クランプをシャツの衿の内側に取付ける取付手段と、を有し、前記クランプは、前記管の背面側を保持する外クランプと、正面側を保持する内クランプと、これら外クランプと内クランプを合わせたクランプ状態を維持するための維持手段と、を有して構成され、前記管は前記ホルダと前記クランプに挟まれて保持されることを特徴とする背中クールタイ装置である。
【００１０】
第二発明は、さらに、前記筒状のクランプは、内部下方で前記管に接しており、内部上方に略同軸に配置された内筒と、この内筒の軸方向の上下位置を調整できる調整機構と、を有する背中クールタイ装置である。
【００１１】
第三発明は、さらに、前記通気性を有し柔軟性を有する管は、螺旋状に配置される複数のプラスチック製の紐によって構成される網管であり、前記取付手段は、前記外クランプに形成されて前記衿の上縁に係止するフックであり、または、シャツの衿の内側に沿って配置される襟台の上縁に係止するフックであり、前記維持手段は、前記外クランプと内クランプを合わせた状態でネジ止めするネジであることを特徴とする背中クールタイ装置である。
【発明の効果】
【００１２】
（１）第一、第二、又は第三発明によれば、クランプに保持された１本の管の上端は、シャツの衿の部分で外部と連通するので、管の中を上昇してきた体温による熱気は、衣服に阻まれずに、管の上端から、効果的に衣服外部に逃げることができる。
【００１３】
（２）また、管の径が大きな１本の管を用いることで、複数の管を用いるよりも、熱気を、より効果的に衣服外部に逃がすことができる。
【００１４】
また、管はホルダとクランプに挟まれて保持されるので、管の径が大きくなり腰が弱くなり強度が弱くなっても、つぶれず、クランプによる保持が容易におこなえる。
【００１５】
（３）また、第二、又は第三発明によれば、さらに、クランプは、内部上方に略同軸に配置された内筒の、軸方向の上下位置を調整できるので、これらクランプや内筒に連通する管の上端が、襟元からうなじに突出して位置できる突出量を調整できるのと、同じ効果を有する。
【００１６】
（４）また、第三発明によれば、さらに、管は網管であるので、人肌に優しく、特に柔軟性に優れたものにできるので、人の体の動きの邪魔になりにくい。
【図面の簡単な説明】
【００１７】
【図１】この発明の一実施形態にかかる装置の分解斜視図である。
【図２】図１の装置を組み立てた状態を示す図で、（Ａ）は背側から見た図、（Ｂ）は正面側から見た図である。
【図３】図１、図２の装置の使用状態図で、（Ａ）は人の背側から見た図、（Ｂ）は人の正面側から見た透視図、（Ｃ）は要部の水平断面図である。
【図４】図１、図２の装置を構成する外クランプを詳しく示すもので、（Ａ）は正面図、（Ｂ）は背面図、（Ｃ）は平面図、（Ｄ）は底面図、（Ｅ）は側面図、（Ｆ）は（Ａ）のＦ−Ｆ断面図である。
【図５】図１、図２の装置を構成する内クランプを詳しく示すもので、（Ａ）は背面図、（Ｂ）は正面図、（Ｃ）は平面図、（Ｄ）は底面図、（Ｅ）は側面図、（Ｆ）は（Ａ）のＦ−Ｆ断面図である。
【図６】図１、図２の装置を構成するホルダを詳しく示すもので、（Ａ）は平面図、（Ｂ）は正面図、（Ｃ）は背面図、（Ｄ）は底面図、（Ｅ）は側面図、（Ｆ）は（Ａ）のＦ−Ｆ断面図である。
【図７】図１、図２の装置を構成する内筒を詳しく示すもので、（Ａ）は正面図、（Ｂ）は背面図、（Ｃ）は平面図、（Ｄ）は底面図、（Ｅ）は側面図、（Ｆ）は（Ｃ）のＦ−Ｆ断面図である。
【図８】図１、図２の装置が有する調整機構を構成するスライドツマミを詳しく示すもので、（Ａ）は正面図、（Ｂ）は背面図、（Ｃ）は（Ａ）のＣ−Ｃ断面図、（Ｄ）は側面図、（Ｅ）は（Ａ）のＥ−Ｅ断面図である。
【図９】図１、図２の装置が有する網管の下端をカバーする下端カバーを詳しく示すもので、（Ａ）は正面図、（Ｂ）は平面図、（Ｃ）は（Ｂ）のＣ−Ｃ断面図である。
【図１０】冬季実験の表1グラフ（背中にクールタイを着けないでの静止状態と着けた静止状態）
【図１１】冬季実験の表2グラフ（背中クールタイを着けないでの軽い運動と着けてレベルIIの軽い運動）
【図１２】冬季実験の表3グラフ（背中クールタイを着けレベルIIの軽い運動と背中クールタイを着けプラス褐色脂肪細胞の存在する胸元、首回りを開いての軽い運動）
【図１３】夏季実験の表1グラフ  （背中クールタイを着けない、着けて）
【図１４】運転中の眠気を和らげる効果を示す表１グラフ
【図１５】運転中の眠気を和らげる効果を示す表２グラフ
【図１６】運動中に汗でぬれなくなる効果を示すグラフ
【図１７】痩身効果を示すグラフＡ
【図１８】痩身効果を示すグラフＢ
【発明を実施するための形態】
【００１８】
この発明の実施形態を、図１〜図９に示す。
【００１９】
［装置の概略］
図１、図２、図３に示すように、用いられる管１は１本である。図３（Ｂ）に示すように、この管１は、人の背中、または腰部に下端３が位置し、上端４が実質的に人のうなじに位置できる長さを有し、通気性を有し柔軟性を有する。この通気性を有する管１は、この実施形態では、螺旋状に配置される複数のプラスチック製の紐５によって構成される網管７である。
【００２０】
図１に示すように、この管１を保持するクランプ９は、この管１の上端４を外周から接して保持する。そして、ホルダ１３が、この保持される管１の上端４の内周に接して挿入され上端４の強度を維持する。クランプ９は、取付手段１５によってシャツの衿の内側に取付けられる。この取付手段１５は、この実施形態では、外クランプ１７に形成されて衿の上縁に係止するフック１９である。
【００２１】
このクランプ９は、管１の背面側を保持する外クランプ１７と、正面側を保持する内クランプ２１とが、合わさった構造になっている。これら外クランプ１７と内クランプ２１を合わせたクランプ状態を、開閉可能に維持するために、外クランプ１７と内クランプ２１とには、閉じ手段２３が設けられる。この閉じ手段２３は、外クランプ１７と内クランプ２１を合わせた状態でネジ止めするためのネジ２５である。
【００２２】
クランプ状態において外クランプ１７と内クランプ２１とにより筒状が形成され、この筒状により、管１の上端４が保持される。この筒状のクランプ９の内部下方にホルダ１３が位置する。クランプ９の内部下方の周面には、複数の突起２７形成される。他方、ホルダ１３には、これらの突起２７を受ける穴である突起受け穴２９が形成される。突起２７は網管７の網の間を通って突起受け穴２９に受けられることで、網管７はしっかりとクランプされる。このようにして、筒状のクランプ９は、内部下方で管１に接している。
【００２３】
クランプ９の内部上方には、略同軸に内筒３１が配置される。この内筒３１の軸方向の上下位置は、調整機構３３によって調整できる。
【００２４】
すなわち、クランプ９の内部上方には、上下に走るスライドーレール３５が、左右に一対、背側と表側に形成される。つまり外クランプ１７と内クランプ２１にそれぞれ一対のスライドーレール３５が形成される。他方、内筒３１には、これらのスライドーレール３５を受けるレール受け３７が形成される。これにより、内筒３１は上下にスライドし、上下位置を変更できる。そして、この上下位置を調整するために、内クランプ２１の外側にはスライドツマミ３９が配置され、このスライドツマミ３９の細い取付軸４１が、内クランプ２１に上下に形成されたスリット４３を貫通して、内筒３１の軸受凹部４５に嵌入され固定し取付される。このスライドツマミ３９をクランプ９の外側から上下に移動させることで、内筒３１は上下にスライドし上下位置を調整できる。
【００２５】
この内筒３１は、筒状のクランプ９に連通し、クランプ９は管１に連通しているので、内筒３１の上端が、襟元からうなじに突出する突出量を調整することは、管１の突出量を調整できるのと、同じ効果を有する。
【００２６】
[装置の各部]  
[管１]
図１、図２、図３に示すように、この装置に用いられる管１は１本である。この管１は、人の背中、または腰部に下端３が位置し、上端４が実質的に人のうなじに位置できる長さを有する。また、通気性を有し柔軟性を有する。この通気性は、この実施形態では、管１が、螺旋状に配置される複数のプラスチック製の紐５によって構成される網管７となることで得られる。この網管７は、螺旋状の複数の紐５が交差し、交差部分で固着しており、菱形の形状の空間を有するメッシュ構造を形成する。
【００２７】
また、管１の下端３は切断されるが、この切断部分には、図２、図３（Ｂ）、図９に示すシリコンゴム製の下端カバー４７が取り付けられる。すなわち、網管７の下端３は、単管状である下端カバー４７の周囲に形成される溝４９に、嵌めこまれ接着剤で固定される。あるいは、下端カバー４７を用いない場合には、図示しないものの、管１の下端３には柔らかな樹脂が充てんされる。
【００２８】
このようにして、管１の下端３の開口面積を維持できるとともに、人の皮膚に接しても、接触の刺激を小さくできる。
【００２９】
[クランプ９]
図１、図４、図５に示すように、この管１を保持するクランプ９はプラスチック製で、この管１の上端４を外周から接して保持する。このクランプ９は、管１の背面側を保持する外クランプ１７（図４）と、正面側を保持する内クランプ２１（図５）とが合わさった構造になっている。合わさった状態で筒状を形成する。この筒状は、全体形状が、楕円が浅いＶ字状に変形した形状を有し、これにより、クランプ９の人体に接する側は、緩やかな窪みになり、人体への接触になじみやすい。なお、このクランプ９は、ホルダ１３とともに使用されるが、ホルダ１３は筒状の内周とほぼ同一の形状を、外周に有する。
【００３０】
外クランプ１７と内クランプ２１には、内部下方の周面に、複数の突起２７が形成される。網管７をしっかりとクランプするためのものである。
【００３１】
外クランプ１７と内クランプ２１の内部上方には、上下に走るスライドーレール３５が、左右に一対、形成される。内筒３１をスライドさせるためのものである。
【００３２】
内クランプ２１の中央には、スライドツマミ３９の細い取付軸４１が貫通して移動するためのスリット４３が、上下に形成されている。このスリット４３の周囲には、内クランプ２１の外側で、長い略楕円状の窪み５１が形成され、この窪み５１の中をスライドツマミ３９が移動する。窪み５１には横方向に走る凹凸５３が、上下に複数形成され、スライドツマミ３９との摩擦を高め、スライドツマミ３９の移動時の節度感を生じさせる。
【００３３】
外クランプ１７と内クランプ２１には、それぞれの四隅に、ネジ穴５５、５６が形成される。そして、このネジ穴５５に螺合するネジ２５とにより、閉じ手段２３が構成される。
【００３４】
[取付手段１５であるフック１９]
図３（Ａ）に示すように、クランプ９は、取付手段１５であるフック１９によってシャツの衿の内側に直接に取付けられる。あるいは、図３（Ｂ）（Ｃ）に示すように、シャツの衿の内側に沿って配置される襟台５７の上縁に係止して取り付けられる。図１、図２（Ａ）、図３、図４に示すように、このフック１９は、外クランプ１７の外側に、２つが左右に配置される。フック１９は下向きであり、下端３には、係止時の摩擦を大きくするための凸部５９が形成される。
【００３５】
[閉じ手段２３]
図１に示すように、これら外クランプ１７と内クランプ２１を合わせたクランプ状態を開閉可能に維持するために、外クランプ１７と内クランプ２１とには、閉じ手段２３が設けられる。
【００３６】
この閉じ手段２３は、この閉じ手段２３は、外クランプ１７と内クランプ２１を合わせた状態でネジ止めするネジ２５である。ネジ２５は、外クランプ１７と内クランプ２１の四隅に設けられる。
【００３７】
[ホルダ１３]
図１に示すように、ホルダ１３は、クランプ９によって保持される管１の上端４の内周に接して挿入され上端４の強度を維持する。
【００３８】
図６に示すように、このホルダ１３は、プラスチック製で、クランプ９の筒状の内周とほぼ同一の形状を、外周に有する。内周は、外周と類似形状を有するが、強度を高めるために、内部中央を横切って、両内周壁に接続するフィン状の支持部６１が設けられる。筒状の上端４にはフランジ６３が形成される。
【００３９】
ホルダ１３の周面には、外クランプ１７と内クランプ２１の複数の突起２７を受ける穴である突起受け穴２９が、貫通して形成される。突起２７は網管７の網の間を通って突起受け穴２９に受けられることで、網管７はしっかりとクランプされる。
【００４０】
[内筒３１]
内筒３１は、クランプ９に対しての上下位置を調整することで、実質的に、襟元からの管１の突出量を調整できるのと同じ効果を得るためのものである。
【００４１】
図７に示すように、この内筒３１は、プラスチック製で、クランプ９の筒状の内周とほぼ同一の形状を、外周に有する。内周は、外周と類似形状を有するが、強度を高めるために、内部中央を横切って、両内周壁に接続するフィン状の支持部６２が設けられる。
【００４２】
内筒３１の外面には、外クランプ１７と内クランプ２１のスライドーレール３５を受けるレール受け３７が、形成される。これにより、内筒３１は上下にスライドし、上下位置を変更できる。
【００４３】
内筒３１の内クランプ２１に面する側には、スライドツマミ３９の細い取付軸４１が嵌入する軸受凹部４５が、形成される。この軸受凹部４５は、短四角柱形状の軸受け台６５の中央に形成される。
【００４４】
［スライドツマミ３９］
図８に示すように、スライドツマミ３９は全体がボタン状をしており、背面の中央に取付軸４１が突設されている。この取付軸４１の周囲には、横方向に走る凹凸５４が上下に複数形成され、内クランプ２１側の凹凸５３と接して、摩擦を高め、スライドツマミ３９の移動時の節度感を生じさせる。
【００４５】
スライドツマミ３９の正面にも、横方向に走る滑り防止凹凸６７が、上下に複数形成され、スライドツマミ３９を移動させる人の指との摩擦を高め、滑りを防止する。
【００４６】
［調整機構３３］
図１に示すように、内筒３１の軸方向の上下位置を調整する調整機構３３は、上述したように、クランプ９のスライドーレール３５、このスライドーレール３５を受ける内筒３１のレール受け３７、内筒３１に固定し取り付けられるスライドツマミ３９、スライドツマミ３９の細い取付軸４１が貫通して上下に移動するため内クランプ２１に上下に形成されたスリット４３などにより構成される。
【００４７】
［組立］
図１に示すように、装置の組立は、以下のように行われる。
【００４８】
まず管１の上端４に、フランジ６３を上にしてホルダ１３を挿入する。このホルダ１３は、外クランプ１７と内クランプ２１の内部下方に位置させる。外クランプ１７と内クランプ２１の内部上方には内筒３１を位置させる。このときスライドツマミ３９をあらかじめ取り付けておく。すなわち、スライドツマミ３９の細い取付軸４１を、内クランプ２１のスリット４３へ貫通させ、内筒３１の軸受凹部４５に嵌入し固定し取り付ける。
【００４９】
そして、これら内筒３１とホルダ１３を前後から挟んで外クランプ１７と内クランプ２１を合わせる。このとき、外クランプ１７と内クランプ２１の複数の突起２７が網管７の網の間を通って、ホルダ１３の突起受け穴２９に受けられる。また、この内筒３１のレール受け３７が、外クランプ１７と内クランプ２１のスライドーレール３５を受ける。
【００５０】
その後に、外クランプ１７と内クランプ２１は、それぞれの四隅に形成されたネジ穴５５へネジ２５を螺合することで、閉じ、クランプ９を構成する。
【００５１】
管１の下端３に、シリコンゴム製の下端カバー４７を取り付ける。
【００５２】
「実施形態の効果」
（１）この実施形態によれば、クランプ９に保持された１本の管１の上端４は、シャツの衿の部分で外部と連通するので、管１の中を上昇してきた体温による熱気は、衣服に阻まれずに、管１の上端４から、効果的に衣服外部に逃げることができる。
【００５３】
また、管１は網管７になっており、背中や要部に溜まった熱気を網の間から管１内へ流入させ、背中や要部の広い範囲に溜まった熱気を効果的に逃がすことができる。
【００５４】
（２）また、管１の径が大きな１本の管１を用いることで、複数の管１を用いるよりも、熱気を、より効果的に衣服外部に逃がすことができる。
【００５５】
また、特許文献３のような複数の管１ではなく１本の管１を用いるため、熱気を、より効果的に衣服外部に逃がすことができるものの、１本の管１を用いることで、今度は、管１の径が必然的に大きくなり、大きくなった管１、本実施形態では網管７の腰が弱くなる。つまり、柔軟性を有する大きな管１の強度が弱くなってしまう。しかし、管１はホルダ１３とクランプ９に挟まれて保持されることにより、つぶれず、クランプ９による保持が容易におこなえる。
【００５６】
（３）そして、クランプ９は、内部上方に略同軸に配置された内筒３１の、軸方向の上下位置を調整できるので、これらクランプ９や内筒３１に連通する管１の上端４が、襟元からうなじに突出して位置できる突出量を調整できるのと、同じ効果を有する。この調整により、人の首の長さに応じて、管１の上端４が、首の動きの邪魔にならず、また、うなじの髪の毛に阻まれにくい、最適の位置となるよう調整できる。
【００５７】
（４）また、この実施形態によれば、痩身効果や運転中の眠気を和らげる効果などがあるので、以下の複数の実験によって示す。
【００５８】
[痩身効果の冬季実験]
本実施形態に係る装置により、熱気をより効果的に逃がすことができるため、痩身効果が得られることを以下の冬季実験により示す。
【００５９】
冬季実験
1.           目的
首、胸元、肩甲骨周りに褐色脂肪細胞が多く存在するが肩甲骨の間に、本願発明の実施形態に係る装置を着け、背中に冷気を入れた場合と着けない場合での背中の温熱環境を変えて体温調節による痩身（減量）を比較実験する。
【００６０】
2.           実験概要
実験日  
平成２７年冬季某日（Ａ日、Ｂ日、Ｃ日、Ｄ日）
実験場所
発明者の事務所周り
実験内容
身体活動レベルII40分間（速足ウォーキング）防寒着着用
実験者
発明者本人  男性  年齢57歳  身長177cm  70kg
実験方法
寒いときに自律性体温調節で熱を産生します。(=ふるえによる熱産生)。これ以外にも、褐色脂肪組織と呼ばれる脂肪が熱を産生します。(=非ふるえによる熱産生)
身体の仕組みを利用して、褐色脂肪細胞に多く存在する背中の肩甲骨周りに背中クールタイ（本願発明の実施形態に係る装置、以下同じ）を着け外気の冷気を背中に入れることで背中の中の温度・湿度と産生する脂肪燃焼との関係を身体活動レベルIIの運動を行い前後の体重を測定し痩身（減量）を下記の様相で同じ衣服を着て比較した。
【００６１】
(1)          背中クールタイを着けないでの静止状態と着けた静止状態の比較
(2)          背中クールタイを着けないでの軽い運動と着けてレベルIIの軽い運動の比較
(3)          背中クールタイを着けレベルIIの軽い運動と背中クールタイを着けプラス褐色脂肪細胞の存在する胸元、首回りを開いての（皮膚が露出している部位としていない部位かを比較する意味で）レベルIIの軽運動をすることで褐色脂肪細胞の熱の産生の比較を試した。      
計測方法  
背中に神栄株式会社の測定器HA3631温湿度ロガ―を使用して測定した。
【００６２】
秤はデジタル台はかり 秤量100kg 目量0.05kg（10g×10個で調整）
実験状況  同じコース測定箇所およそ同じ  温度5℃以下で風は北西強し
3.           結果
測定の結果、
図１０として示す表1グラフ（背中にクールタイを着けないでの静止状態と着けた静止状態）
図１１として示す表2グラフ（背中クールタイを着けないでの軽い運動と着けてレベルIIの軽い運動）
図１２として示す表3グラフ（背中クールタイを着けレベルIIの軽い運動と背中クールタイを着けプラス褐色脂肪細胞の存在する胸元、首回りを開いての軽い運動）のような結果が得られた。
【００６３】
実験場所コースは実験場所周辺で約5000歩を歩いた。
考察    (1)背中クールタイを着けないでの静止状態と着けた静止状態の比較
では静止状態でも背中クールタイを着けるだけで少量の痩身（減量）があったが、寒い時だけに背中クールタイを着けた場合身体の一部に痛みが現れた。冷たいプールで痩せようと思う人と同様に無理には進められないと思われた。しかし暖かい場所では痩身が期待できる。
【００６４】
(2)背中クールタイを着けないでの軽い運動と着けてレベルIIの軽い運動の比較
季節風の強い中、背中クールタイを着けない軽い運動では、下着もヒートテックの効果で快適で運動後半には汗ばんできて運動後には身体も温まっていた。
【００６５】
背中クールタイを着けた軽い運動では最初は背中に冷気を感じて動き始まると冷気は感じられず道中汗ばむことなく快適に運動ができた。これだけで体重75ｇ減った。
【００６６】
(3)背中クールタイを着けレベルIIの軽い運動では(2)で述べたが、背中クールタイを着けプラス褐色脂肪細胞の存在する胸元、首回りを開いての運動では陽が当たり温度のわりに暖かく感じられた。胸元からは冷気が入り寒さを感じたが後半は汗ばみ背中の湿度が上がり始めており同時に体温調節で温度が下がるのがグラフで読み取れる。この結果体重100ｇ減った。
【００６７】
背中クールタイを着けて40分の身体活動のレベルIIで、はっきり痩身（減量）が認められた。褐色脂肪細胞のある非露出部分肩甲骨周りに冷気を感じさせるだけでも露出部位首回り含めての比較でも同等の効果が表れた。
【００６８】
推定エネルギー必要量は一般的に基礎代謝量×身体活動レベルで導き出される。医学的には証明できないが、体温調節による褐色脂肪細胞が動きだし脂肪を燃焼するのか発汗による働きによるかは定かではないが身体活動レベルII（軽いウォーキング）40分間で、痩身（減量）が数字であきらかに証明された。
【００６９】
4.           まとめ
白色脂肪細胞というエネルギーを貯える細胞から褐色脂肪細胞が燃料を受け取り、それを燃やして熱を生み出し体温を上げてくれ、痩身（減量）が実験で比較して判った。
【００７０】
また、陽がさす日には身体が温まり背中が汗ばみ背中の中の湿度は上がっても背中クールタイは対応でき、衣類の保温性のある新素材にも背中の熱気を即排出させ、冬の汗の悩みも解消できる。ダイエット運動では同量の運動量で痩身（減量）がおおいに期待できることがわかった。
【００７１】
この背中クールタイは首から出したり入れたり調整出来、寒い時は脂肪が熱を産生し熱い時には背中の熱気を排出して体温調節を促すことがわかった。
【００７２】
[痩身効果の夏季実験]
本実施形態に係る装置により、熱気をより効果的に逃がすことができるため、痩身効果が得られることを以下の夏季実験により示す。
【００７３】
夏季実験
1.目的
首、肩甲骨周りの褐色脂肪細胞を活性化して痩せる体質にしてくれる寒冷刺激は寒い時期冬と思うのが一般的に思われているが、あえて視点を変えて、大型店舗内の空調機で冷やされた冷気が褐色脂肪組織を寒冷刺激して活性化して痩せられるか本願発明の実施形態に係る装置を着けた時と、着けない時で比較体験実験して試すことにした。褐色脂肪細胞を活性化して痩せる体質にしてくれるのは予備知識としては寒中水泳、サウナ後の水風呂、冷水と温水を交互に位である。繊維の縫い目の粗い隙間、吸水速乾の衣服は生地を通して空気が出入りする為流れの妨げになっている。しかし本願発明の実施形態に係る装置（以下単に本装置という）はストレートに空気が出し入れ出来るので衣服を纏いながら寒冷刺激が出来るかの体感実験でもある。
【００７４】
実験概要
実験日  平成２７年夏季某日（ａ日、ｂ日、ｃ日）
実験場所  発明者の事務所周りの大型小売店舗内
実験内容
クールビズ服装でショッピングしながら40分間歩いたり立ち止まったりして、本装置を着けて、エアコンの冷気を入れた時と、着けないで冷気を入れない時と比較して見ることにした。
【００７５】
実験者
発明者本人  男性  年齢68歳  身長177cm  70kg  BMI  22.
実験方法
本願発明の実施形態に係る装置を使用して褐色脂肪細胞が存在する肩甲骨周りに背中クールタイを着けて空調機の冷気を背中に入れることで背中の中の温度・湿度と産生する脂肪燃焼との関係をショッピングしながら行い前後の体重を測定し痩身（減量）を下記の様相で同じ衣服を着て比較した。
【００７６】
(1)          背中クールタイを着けない、着けて
(2)          クールビズ（長袖ワイシャツ、下着）
計測方法  
背中に神栄株式会社の測定器HA3631温湿度ロガ―を使用して測定した。
【００７７】
秤はデジタル台はかり 秤量100kg 目量0.05kg駐車場に持ち込んで計測
実験状況  同じ店舗内で測定は５分間隔で  温度、湿度は実験ごとに記載
2.           結果
測定の結果、図１３として示す表1グラフのような結果が得られた。この表1グラフでは、本装置である背中クールタイを着けないときと、着けたときとで、背中と衣類との間の温度、湿度の記録した。
【００７８】
考察    (1)背中クールタイを着けて2日、着けない1日で実験した。2日は平均値を取る意味もあった。クールビズでエアコンの冷気で冷やされるのも感じるが、「背中クールタイ」から入る冷気はより一層冷やしてくれるのが判る。寒冷刺激で冬ほどの指先の痛みなどはないがゾクッとする。身を守るのに熱産生の惹起していることを想定しながら汗ばむことなく終えた。結果はクールタイを着けない時で、150g、着けた時が400g、450ｇの痩身であった。基礎代謝と消費エネルギーは同一であるものとした。
【００７９】
3.           まとめ
暑い時期に大型店舗内の空調機で冷やされた冷気が「背中クールタイ」を着けてショッピングしながらでも褐色脂肪組織を寒冷刺激して褐色脂肪細胞が白色脂肪細胞を燃焼させていることが比較実験の結果痩身（減量）差から推定された。視点を変えての新発見でもある。このことにより運動しながら痩せられるので生活習慣病などの予防にダイエットに期待できる。
【００８０】
［運転中の眠気を和らげる効果の実験］
本実施形態に係る装置により、運転中の眠気を和らげる効果があることを、実験で示す。
【００８１】
発明者の経験では、例えば、ゴルフの帰りに高速道路で瞬眠になるのを一歩手前で感じ、いつもは耳を引っ張ったり、頬をたたいたりするか、サービスエリアで休むのである。しかし、今回初めて本実施形態に係る装置を着けてみた。すると、眠気が消えたという経験をした。これは、朝起きて、明るい光を照射、冷風、洗顔は副交感神経から交感神経へと導く行為で自律神経に刺激を与えて眠気が消えるのと同じように、背中の温度湿度の変化をキャッチして自律神経が活動して眠気が覚めたものである。
【００８２】
このことを実験で裏付けるために、２回の実験をした。すなわち発明者が自ら運転中に本実施形態に係る装置を着用し背中の温度と湿度を記録した。
【００８３】
２回の実験は天候が異なる条件下で行ったが、ともに、着用により温度と湿度が変化する（図１４、図１５）ことが確認され、運転中の眠気を和らげる効果があることを裏付けるためのデータが得られた。
【００８４】
［運動中の爽やかさの効果を示す実験］
本実施形態に係る装置により、健康を維持するなどのために行う運動中に、爽やかさが得られる効果を実験で示す。
【００８５】
図１６に示すように、本実施形態に係る装置を着用した場合としない場合で、同一運動を同一コースで同じ人間が一日の中のほぼ同じ時間帯で行い、背中の温度と湿度をグラフにした。装置を着用した日はＡ日、場着用しない日はＢ日であったが、Ａ日Ｂ日とも、外気温と湿度はほぼ同じであった。グラフからわかるように、背中の湿度の差が大きく、本実施形態に係る装置を着用した場合に湿度が低くなり、爽やかさが得られることがわかる。
【００８６】
［寒い季節の痩身効果を示す実験］
寒い季節に本実施形態に係る装置により、痩身効果が得られることを実験で示す。
【００８７】
図１７に示すように、本実施形態に係る装置を着用した場合としない場合で、同一運動を同一コースで同じ運動量を同じ人間が同じ衣類を着て、Ａ日、Ｂ日、Ｃ日に分けて行い、背中の温度と湿度をグラフにした。各日は、外気温は、それぞれ０℃、３℃、４℃であった。各日の体重の増減はグラフの右下のようであった。グラフからわかるように、本実施形態に係る装置を着用した場合に背中の湿度が低くなり、同時に、痩身効果があることがわかる。
【００８８】
［やや暖かい季節の痩身効果を示す実験］
やや暖かい季節本実施形態に係る装置により、痩身効果が得られることを、実験で示す。
【００８９】
図１８に示すように、本実施形態に係る装置を着用した場合としない場合で、同一運動を同一コースで同じ運動量を同じ人間が、ａ日、ｂ日に分けて行い、背中の温度と湿度をグラフにした。各日は、外気温は、それぞれ１０℃、１１℃であった。各日の体重の増減はグラフの右下のようであった。グラフからわかるように、本実施形態に係る装置を着用した場合に背中の湿度が低くなり、同時に、痩身効果があることがわかる。
【００９０】
「他の実施形態」
以上の実施形態では、管１は、螺旋状に配置される複数のプラスチック製の紐５によって構成される網管７であったが、他の実施形態では、他の構造の管１でもよい。例えば、特許文献３プラスチック製管の側壁に多数の孔が形成することで通気性を生じるものであってもよい。
【００９１】
以上の実施形態では、管１の下端３には、シリコンゴム製の下端カバー４７が設けられるものであったが、他の実施形態では、管１の下端３の切断された部分に、柔らかな樹脂が充てんされるものでもよい。
【００９２】
以上の実施形態では、取付手段１５であるフック１９は、シャツの衿の内側に沿って配置される襟台５７の上縁に係止するもの（図３（Ｂ）（Ｃ））であったが、他の実施形態では、衿の上縁に直接に係止するフック１９でもよい。
【００９３】
以上の実施形態では、クランプ９に複数の突起２７が形成され、これらの突起２７を受ける突起受け穴２９がホルダ１３に形成されるであったが、他の実施形態では、逆に、ホルダ１３に複数の突起２７が形成され、これらの突起２７を受ける突起受け穴２９がクランプ９に形成されるものとしてもよい。
以上の実施形態では、取付手段は、フック１９であったが、他の実施形態では、他の手段、例えばクリップであってもよい。
以上の実施形態では、維持手段は、外クランプ１７と内クランプ２１を合わせた状態でネジ止めするネジ２５であったが、他の実施形態では、他の手段、例えば合わせた合わせ目に沿って、コの字の両先端が内側に屈曲した略コの字状断面のスライド溝を形成し、この溝に、そのような略コの字状断面に嵌合する断面を有するスライダーをスライドして嵌合するものであってもよい。
【符号の説明】
【００９４】
１…管、３…下端、４・・上端、５…紐、７…網管、９…クランプ、１１…上端、１３…ホルダ、１５…取付手段、１７…外クランプ、１９…フック、２１…内クランプ、２３…閉じ手段、２５…ネジ、２７…突起、２９…突起受け穴、３１…内筒、３３…調整機構、３５…スライドーレール、３７…レール受け、３９…スライドツマミ、４１…取付軸、４３…スリット、４５…軸受凹部、４７…下端カバー、４９…溝、５１…窪み、５３、５４…凹凸、５５…ネジ穴、５７…襟台、５９…凸部、６１、６２…支持部、６３…フランジ、６５…軸受け台、６７…滑り防止凹凸。
【要約】      （修正有）【課題】衣服の下に管を配置し、体温による熱気を管を通して流通させ涼を図る装置において、複数の管を用いるよりも、熱気をより効果的に衣服外部に逃がすことができ、管の径が大きくなっても、クランプによる保持が可能であり、管の上端が襟元からうなじに突出して位置できる突出量を調整できるものにする。【解決手段】１本の網管７の上端４を、内周からホルダ１３で支えるとともに、筒状のクランプ９で外周から接して保持し、クランプ９の内部に略同軸に配置された内筒３１が軸方向の上下位置を調整でき、クランプ９はシャツの衿の内側に取付けられる装置とする。【選択図】図１【図１】
0005927738.tif 000002
【図２】
0005927738.tif 000003
【図３】
0005927738.tif 000004
【図４】
0005927738.tif 000005
【図５】
0005927738.tif 000006
【図６】
0005927738.tif 000007
【図７】
0005927738.tif 000008
【図８】
0005927738.tif 000009
【図９】
0005927738.tif 000010
【図１０】
0005927738.tif 000011
【図１１】
0005927738.tif 000012
【図１２】
0005927738.tif 000013
【図１３】
0005927738.tif 000014
【図１４】
0005927738.tif 000015
【図１５】
0005927738.tif 000016
【図１６】
0005927738.tif 000017
【図１７】
0005927738.tif 000018
【図１８】
0005927738.tif 000019